(57)【要約】【課題】グースネック型マイクロホンにおける支持パイプの受け具を、机や演台などの基台に対して簡易に固定できるようにする。【解決手段】基台３０に固定される受け具１００に、マイクロホンユニットを支持している支持パイプの下端を所定の連結手段を介して立設するグースネック型マイクロホンにおいて、受け具１００は、上端および下端が基台３０から突出するように取付孔３１内に挿通されるゴム材からなる円筒状の受け具本体１１０と、受け具本体１１０の上端に配置されるワッシャ板１２０と、ワッシャ板１２０の中心孔を通して受け具本体１１０内に挿通される雄ねじ１３０と、受け具本体１１０の下端側から受け具本体１１０内に挿通されて雄ねじ１３０と螺合する雌ねじ筒１４０とを備え、雄ねじ１３０と雌ねじ筒１４０とにより受け具本体１１０を軸方向に圧縮し拡径して取付孔３１内に固定する。【選択図】図２
2008270942.tif 000002
【特許請求の範囲】
【請求項１】
基台に穿設されている取付孔に固定される受け具と、一端側にマイクロホンユニットが取り付けられている支持パイプとを含み、上記支持パイプの他端が所定の連結手段を介して上記受け具に連結されるグースネック型マイクロホンにおいて、
上記受け具には、上記基台の厚さよりも長い軸長を有し上端および下端が上記基台から突出するように上記取付孔内に挿通されるゴム材からなる円筒状の受け具本体と、上記受け具本体の上端に配置されるワッシャ板と、上記ワッシャ板の中心孔よりも大径のねじ頭を有し上記中心孔を通して上記受け具本体の上端側から上記受け具本体内に挿通される雄ねじと、上記受け具本体の下端に当接する鍔を有し上記受け具本体の下端側から上記受け具本体内に挿通されて上記雄ねじと螺合する雌ねじ筒とが含まれ、
上記受け具本体が、上記雄ねじと上記雌ねじ筒とにより加えられる軸方向圧縮力にて拡径して上記取付孔内に固定されることを特徴とするグースネック型マイクロホン。
【請求項２】
上記雌ねじ筒の外径は上記受け具本体の内径よりも大きく、上記雌ねじ筒が所定の摩擦力をもって上記受け具本体内に挿通されることを特徴とする請求項１に記載のグースネック型マイクロホン。
【請求項３】
上記連結手段は、雄ねじを有し上記受け具側に設けられるカプラーと、上記カプラーの雄ねじと螺合する雌ねじを有し上記支持パイプの他端側に設けられるロックリングとを有し、上記ワッシャ板に上記カプラーの雄ねじが一体に形成され、上記ワッシャ板が上記カプラーとして用いられていることを特徴とする請求項１または２に記載のグースネック型マイクロホン。
【請求項４】
上記支持パイプには上記マイクロホンユニットに接続されているマイクコードが挿通されており、上記ワッシャ板，上記受け具本体の外周面および上記雌ねじ筒の鍔にかけて、上記マイクコードを上記基台の底面側から引き出すためのコード挿通溝が一連に形成されていることを特徴とする請求項１ないし３のいずれか１項に記載のグースネック型マイクロホン。
【請求項５】
上記コード挿通溝のうち、上記ワッシャ板および上記受け具本体の上端に形成される溝には、上記基台の上面側に向けて開口された開口部が設けられていることを特徴とする請求項４に記載のグースネック型マイクロホン。
【発明の詳細な説明】
【技術分野】
【０００１】
本発明は、机や演台などの基台上に受け具を介して立設される屈曲自在で自己保形性を有する支持パイプの先端に小型なマイクロホンユニットを取り付けてなるグースネック型マイクロホンに関し、さらに詳しく言えば、支持パイプの受け具を基台に対して簡易に固定できるようにした技術に関するものである。
【背景技術】
【０００２】
図６に示すように、グースネック型マイクロホン１０においては、マイクロホンユニット１１が屈曲自在で自己保形性を有するフレキシブルパイプ１２ａを含む支持パイプ１２の一端（先端）に装着され、支持パイプ１２の他端（下端）を机や演台などの基台３０に固定されている受け具２０にロックリング２２を介して連結することにより、基台３０上に立設した状態で使用される。なお、本明細書において、グースネック型マイクロホンを単に「マイクロホン」と言うことがある。
【０００３】
マイクロホンユニット１１は、支持パイプ１２内に挿通されているマイクコード１３を介して音声出力回路部やトランスなどを含む図示しないパワーモジュール部と電気的に接続される。
【０００４】
このマイクロホン１０においては、マイク自体の存在を余り目立たなくするため、マイクロホンユニット１１にはタイピン型などと同様に小型化されたマイクロホンユニットが用いられる。
【０００５】
また、基台３０上での占有面積を小さくするため、上記パワーモジュール部は例えば基台３０の底面側に配置される。そのため、マイクコード１３には上記パワーモジュール部に接続される専用のコネクタ１４が取り付けられている。
【０００６】
次に、このマイクロホン１０の基台３０に対する取付方法を図７および図８により説明する。図７は受け具２０を分解して示す断面図，図８は基台３０への取付状態を示す断面図である。なお、ここで説明する受け具２０の構成および取付方法は、特許文献１で従来技術として説明されている図６および図８の記載によるものである。
【０００７】
これによると、受け具２０は、基台３０に穿設されている取付孔３１に挿通される雄ねじ２１ａを有する円筒状の受け具本体２１と、支持パイプ１２の下端に固着されている鍔１２ｃ付きの口金１２ｂを受け具本体２１の上端側に連結する雌ねじ２２ｂを有する円筒状のロックリング（連結金具）２２と、受け具本体２１の下端側に装着されるワッシャ２４および雌ねじリング２３とを備えている。
【０００８】
図８を参照して、まず、受け具本体２１を基台３０の取付孔３１に挿通し、その下端側にワッシャ２４を嵌装したのち、雌ねじリング２３を仮止め的に螺合する。
【０００９】
次に、支持パイプ１２の先端側から口金１２ｂに挿通され、その鍔１２ｃに引っかけられているロックリング２２を受け具本体２１に螺合し、ロックリング２２と雌ねじリング２３とを受け具本体２１に強固に締め付ける。その後、コネクタ１４を上記パワーモジュール部に接続する。
【００１０】
このようにして、マイクロホン１０が基台３０上に立設されるのであるが、上記従来例によると、受け具本体２１を基台３０に固定するには、基台３０の表裏において、それぞれロックリング２２と雌ねじリング２３を操作しなければならないため、その作業性に難がある。
【００１１】
特に、基台３０が大きなテーブル面を有する円卓などで、その表裏に同時に両手が届かない例えばテーブル中央部分にマイクロホン１０を立設するような場合には、２人がかりで作業（１人が基台３０の上面側でロックリング２２を操作し、もう１人が基台３０の下に潜って雌ねじリング２３を操作）をしなければならない、という不都合が生ずる。
【００１２】
ところで、上記従来例では、マイクコード１３を基台３０の上面に沿って引き出し可能とするため、口金１２ｂにコード導出口１２ｄを設けている。
【００１３】
しかしながら、この構成では、マイクコード１３を図８の実線で示す下方向引き出しから、図８の想像線で示す横方向引き出しとするには、マイクコード１３から一旦コネクタ１４を取り外したうえで、マイクコード１３をコード導出口１２ｄから横方向に引き出して、再度マイクコード１３にコネクタ１４を取り付けることを要し、その方向換え作業が面倒である。
【００１４】
この点を解消するため、特許文献１に記載の発明では、受け具本体２１の周壁の一部分にマイクコード１３の径よりも大きな幅を有するスリットを軸方向に沿って形成するようにしている。
【００１５】
これによれば、コネクタ１４を取り付けたままで、マイクコード１３を下方向引き出しから、基台３０の上面に沿って横方向に引き出すことができるが、マイクロホン１０を基台３０に立設する作業性は依然として解決されていない。
【００１６】
また、特許文献１に記載の発明においても、下方向引き出し時には、図８に示すように、マイクコード１３が受け具本体２１内を通されるため、基台３０に加えられる振動や衝撃がロックリング２２および口金１２ｂを介してマイクコード１３に伝播され、これによって振動雑音が発生することがある。
【００１７】
【特許文献１】特開２００６−１１５０６４号公報（図６，図８，図３）
【発明の開示】
【発明が解決しようとする課題】
【００１８】
したがって、本発明の課題は、グースネック型マイクロホンにおける支持パイプの受け具を、机や演台などの基台に対して簡易に固定できるようにすることにある。
【課題を解決するための手段】
【００１９】
上記課題を解決するため、本発明は、請求項１に記載されているように、基台に穿設されている取付孔に固定される受け具と、一端側にマイクロホンユニットが取り付けられている支持パイプとを含み、上記支持パイプの他端が所定の連結手段を介して上記受け具に連結されるグースネック型マイクロホンにおいて、上記受け具には、上記基台の厚さよりも長い軸長を有し上端および下端が上記基台から突出するように上記取付孔内に挿通されるゴム材からなる円筒状の受け具本体と、上記受け具本体の上端に配置されるワッシャ板と、上記ワッシャ板の中心孔よりも大径のねじ頭を有し上記中心孔を通して上記受け具本体の上端側から上記受け具本体内に挿通される雄ねじと、上記受け具本体の下端に当接する鍔を有し上記受け具本体の下端側から上記受け具本体内に挿通されて上記雄ねじと螺合する雌ねじ筒とが含まれ、上記受け具本体が、上記雄ねじと上記雌ねじ筒とにより加えられる軸方向圧縮力にて拡径して上記取付孔内に固定されることを特徴としている。
【００２０】
本発明の好ましい態様によると、請求項２に記載されているように、上記雌ねじ筒の外径は上記受け具本体の内径よりも大きく、上記雌ねじ筒が所定の摩擦力をもって上記受け具本体内に挿通される。
【００２１】
また、本発明の好ましい態様によると、請求項３に記載されているように、上記連結手段は、雄ねじを有し上記受け具側に設けられるカプラーと、上記カプラーの雄ねじと螺合する雌ねじを有し上記支持パイプの他端側に設けられるロックリングとを有し、上記ワッシャ板に上記カプラーの雄ねじが一体に形成され、上記ワッシャ板が上記カプラーとして用いられる。
【００２２】
また、本発明の好ましい態様によると、請求項４に記載されているように、上記支持パイプには上記マイクロホンユニットに接続されているマイクコードが挿通されており、上記ワッシャ板，上記受け具本体の外周面および上記雌ねじ筒の鍔にかけて、上記マイクコードを上記基台の底面側から引き出すためのコード挿通溝が一連に形成される。
【００２３】
また、本発明の好ましい態様によると、請求項５に記載されているように、上記コード挿通溝のうち、上記ワッシャ板および上記受け具本体の上端に形成される溝には、上記基台の上面側に向けて開口された開口部が設けられる。
【発明の効果】
【００２４】
請求項１の構成によれば、支持パイプが連結される受け具には、基台の厚さよりも長い軸長を有し上端および下端が上記基台から突出するように上記基台の取付孔内に挿通されるゴム材からなる円筒状の受け具本体と、上記受け具本体の上端に配置されるワッシャ板と、上記ワッシャ板の中心孔よりも大径のねじ頭を有し上記中心孔を通して受け具本体の上端側から上記受け具本体内に挿通される雄ねじと、上記受け具本体の下端に当接する鍔を有し上記受け具本体の下端側から上記受け具本体内に挿通されて上記雄ねじと螺合する雌ねじ筒とが含まれ、上記受け具本体が、上記雄ねじと上記雌ねじ筒とにより加えられる軸方向圧縮力にて拡径して上記取付孔内に固定されるようにしたことにより、基台の下に手を潜らせることなく、マイクロホン取り付け側からの作業のみで、マイクロホンを基台に取り付けることができる。
【００２５】
上記雌ねじ筒の外径を上記受け具本体の内径よりも大きくして、上記雌ねじ筒を所定の摩擦力をもって上記受け具本体内に挿通するようにした請求項２の構成によれば、上記雄ねじを締め付ける際の上記雌ねじの連れ回りを確実に防止することができる。
【００２６】
上記連結手段に、雄ねじを有し上記受け具側に設けられるカプラーと、上記カプラーの雄ねじと螺合する雌ねじを有し上記支持パイプの他端側に設けられるロックリングとが用いられる場合、上記ワッシャ板に上記カプラーの雄ねじを一体に形成して、上記ワッシャ板を上記カプラーとして用いられるようにした請求項３の構成によれば、部品点数が削減され低コスト化を達成できる。
【００２７】
上記支持パイプには上記マイクロホンユニットに接続されているマイクコードが挿通されており、上記ワッシャ板，上記受け具本体の外周面および上記雌ねじ筒の鍔にかけて、上記マイクコードを上記基台の底面側から引き出すためのコード挿通溝を一連に形成するようにした請求項４の構成によれば、基台の下方向に引き出されるマイクコードが受け具本体のゴム弾性にて押さえられるため、振動雑音を軽減することができる。
【００２８】
また、上記コード挿通溝のうち、上記ワッシャ板および上記受け具本体の上端に形成される溝に、上記基台の上面側に向けて開口された開口部を設けるようにした請求項５の構成によれば、マイクコードをコネクタが取り付けられた状態のまま、基台の上面に沿って横方向にも引き出すことができる。
【発明を実施するための最良の形態】
【００２９】
次に、図１ないし図５により、本発明の実施形態について説明するが、本発明はこれに限定されるものではない。
【００３０】
図１は本発明の要部である受け具の構成を分解して示す断面図，図２（ａ）（ｂ）は上記受け具を基台に取り付ける状態を説明する断面図，図３（ａ）は上記受け具に含まれる受け具本体を示す斜視図，図３（ｃ）は受け具本体の平面図，図４はマイクコードを下方向引き出しとした状態を示す断面図，図５はマイクコードを横方向引き出しとした状態を示す断面図である。なお、この実施形態の説明において、先の図６ないし図８で説明した上記従来例と同一もしくは同一と見なされてよい構成要素には、同じ参照符号を用いている。
【００３１】
先の図６で説明したように、グースネック型マイクロホンでは、マイクロホンユニット１１は、屈曲自在で自己保形性を有するフレキシブルパイプ１２ａを含む支持パイプ１２の先端に取り付けられて使用されるが、上記支持パイプ１２を机や演台などの基台３０に立設するため、本発明では、その受け具として、図１および図２に示す受け具１００を備えている。
【００３２】
なお、グースネック型マイクロホンでは、そのマイクロホンユニット１１として、小型なコンデンサ型マイクロホンユニットが用いられる。また、支持パイプ１２は、その全体がフレキシブルパイプ１２ａであってもよいし、一部に金属製のリジットな延長パイプが含まれていてもよい。
【００３３】
図１および図２を参照して、この実施形態における受け具１００は、受け具本体１１０と、受け具本体１１０の上端に配置されるワッシャ板１２０と、受け具本体１１０の上端側から受け具本体１１０内に挿通される雄ねじ１３０と、受け具本体１１０の下端側から受け具本体１１０内に挿通されるテールピースとしての雌ねじ筒１４０とを備える。
【００３４】
受け具本体１１０はゴム製の円筒体で、基台３０の厚さよりも長い軸長を有し、上端１１０ａおよび下端１１０ｂが基台３０から突出するように基台３０の取付孔３１内に挿通される。受け具本体１１０の上端１１０ａ側には、基台３０の取付孔３１の孔径よりも大径の鍔１１１が一体に形成されている。
【００３５】
また、図３に示すように、受け具本体１１０の周壁の一部分には、図４に示すように、マイクコード１３を基台３０の下面側に向けて引き出すためのコード挿通溝１１２が、鍔１１１を含めて上端１１０ａから下端１１０ｂにかけて軸方向に一連に形成されている。
【００３６】
コード挿通溝１１２はスリット状であってもよいが、受け具本体１１０のゴム弾性にてマイクコード１３がコード挿通溝１１２内で保持されるように、コード挿通溝１１２は横断面がコ字状もしくはＵ字状であることが好ましい。
【００３７】
ワッシャ板１２０は、受け具本体１１０の鍔１１１とほぼ同径の金属板からなり、その中心部に受け具本体１１０内に挿通される円筒部１２１を備えている。
【００３８】
ワッシャ板１２０の上面には、先述の従来例で説明したロックリング２２が連結されるカプラーとしての円筒状の雄ねじ１２２が一体に形成されている。また、ワッシャ板１２０には、上記コード挿通溝１１２に対応するコード挿通溝１２３が形成されている。このコード挿通溝１２３も、ワッシャ板１２０の周縁部が開口されたコ字状もしくはＵ字状であることが好ましい。
【００３９】
雄ねじ１３０は、受け具本体１１０の軸長とほぼ同じ長さの長軸ねじで、ワッシャ板１２０の円筒部１２１の内径（中心孔１２０ａ）よりも大径のねじ頭１３１を有している。
【００４０】
雌ねじ筒１４０は、雄ねじ１３０と螺合する雌ねじ１４１を有する金属製の円筒体からなり、その下端には受け具本体１１０の下端１１０ｂに当接する鍔１４２が形成されている。また、この鍔１４２にも、上記コード挿通溝１１２に対応するコード挿通溝１４２ａが形成されている。
【００４１】
雌ねじ筒１４０は、受け具本体１１０内で雄ねじ１３０と螺合されるが、雄ねじ１３０を締め付ける際に連れ回りしないようにするため、また、雄ねじ１３０と螺合する前に雌ねじ筒１４０が受け具本体１１０から脱落しないようするため、雌ねじ筒１４０の外径を受け具本体１１０の内径よりも若干大きくして、雌ねじ筒１４０を所定の摩擦力をもって受け具本体１１０内に嵌合することが好ましい。
【００４２】
次に、受け具１００の取り付け方の一例について説明する。図２（ａ）を参照して、まず、基台３０の上方から受け具本体１１０を基台３０に穿設されている取付孔３１内に挿通する。その際、鍔１１１が抜け止めとして作用する。
【００４３】
次に、雌ねじ筒１４０を受け具本体１１０の下端１１０ｂ側から受け具本体１１０内に挿通する。そして、ワッシャ板１２０を受け具本体１１０の上端１１０ａ側にあてがったのち、雄ねじ１３０をワッシャ板１２０の円筒部１２１を通して受け具本体１１０内に挿通し、雌ねじ筒１４０と螺合する。
【００４４】
しかるのち、図２（ｂ）に示すように、雌ねじ筒１４０に対して雄ねじ１３０を強く締め付けて受け具本体１１０を軸方向に圧縮する。これにより、受け具本体１１０が拡径して取付孔３１内に強固に固定される。
【００４５】
このように、本発明によれば、基台３０の下に手を潜らせることなく、マイクロホン取り付け側からの作業（雄ねじ１３０の締め付け作業）のみで、マイクロホンを基台３０に取り付けることができる。
【００４６】
本発明においても、マイクコード１３にコネクタ１４を取り付けたままの状態で、図４に示すように、マイクコード１３を基台３０の下面側に引き出す下方向引き出しと、図５に示すように、基台３０の上面に沿って引き出す横方向引き出しとを選択することができる。
【００４７】
マイクロホンを図４の下方向引き出しとして使用するには、支持パイプ１２（図６参照）の口金１２ｂから引き出されているコネクタ１４付きのマイクコード１３を、ワッシャ板１２０，受け具本体１１０および雌ねじ筒１４０にそれぞれ形成されているコード挿通溝１２３，１１２，１４２ａ内に通し、図２（ａ）（ｂ）で説明したように、雌ねじ筒１４０と雄ねじ１３０とを強く締め付けて受け具本体１１０を軸方向に圧縮して受け具１００を基台３０に固定したのち、ロックリング２２をワッシャ板１２０の雄ねじ１２２に螺合して、上記支持パイプ１２を基台３０上に立設する。
【００４８】
この圧縮により、マイクコード１３が受け具本体１１０のコード挿通溝１１２内で受け具本体１１０のゴム弾性により押さえられるため、基台３０に加えられる振動や衝撃による振動雑音が軽減される。
【００４９】
次に、マイクロホンを図５の横方向引き出しとして使用するには、上記支持パイプ１２の口金１２ｂから引き出されているマイクコード１３を、ワッシャ板１２０のコード挿通溝１２３および受け具本体１１０の鍔１１１に形成されているコード挿通溝１１２ａから基台３０の上面に沿って引き出し、図２（ａ）（ｂ）で説明したように、雌ねじ筒１４０と雄ねじ１３０とを強く締め付けて受け具本体１１０を軸方向に圧縮して受け具１００を基台３０に固定したのち、ロックリング２２をワッシャ板１２０の雄ねじ１２２に螺合して、上記支持パイプ１２を基台３０上に立設すればよい。
【図面の簡単な説明】
【００５０】
【図１】本発明の要部である受け具の構成を分解して示す断面図。
【図２】（ａ）（ｂ）上記受け具を基台に取り付ける状態を説明する断面図。
【図３】（ａ）上記受け具に含まれる受け具本体を示す斜視図，（ｂ）その平面図。
【図４】本発明において、マイクコードを下方向引き出しとした状態を示す断面図。
【図５】本発明において、マイクコードを横方向引き出しとした状態を示す断面図。
【図６】従来の一般的なグースネック型マイクロホンの全体を示す側面図。
【図７】従来のグースネック型マイクロホンに用いられている受け具の構成を分解して示す断面図。
【図８】図７の受け具を基台に取り付けた状態を示す断面図。
【符号の説明】
【００５１】
１１  マイクロホンユニット
１２  支持パイプ
１２ａ  口金
１３  マイクコード
１４  コネクタ
２２  ロックリング
３０  基台
３１  取付孔
１００  受け具
１１０  受け具本体
１１２  コード挿通溝
１２０  ワッシャ板
１２２  雄ねじ
１２３  コード挿通溝
１３０  雄ねじ
１３１  ねじ頭
１４０  雌ねじ筒
１４２  鍔
１４２ａ  コード挿通溝
【図１】
2008270942.tif 000003
【図２】
2008270942.tif 000004
【図３】
2008270942.tif 000005
【図４】
2008270942.tif 000006
【図５】
2008270942.tif 000007
【図６】
2008270942.tif 000008
【図７】
2008270942.tif 000009
【図８】
2008270942.tif 000010